(57)【要約】      （修正有）【課題】ＬＥＤ素子を使用した高輝度の照明装置を提供するとともにＬＥＤが照明する方向をより正確にかつ安定させ、かつ自在にＬＥＤ光の方向や複数のＬＥＤ光の重なり具合（配光状態）を変更させることのできる照明装置を提供する。【解決手段】放熱用プレート３の上面に所定方向に傾斜した平らな底面を有する複数の凹部を形成し、凹部内の底面に対してＬＥＤ素子の底面を放熱用スペーサを介して密着させて配置する。また、放熱用プレート３から離間した下部位置に薄板状のプリント基板１１を配置し、プリント基板１１にＬＥＤ素子の電極端子を接続するとともに、プリント基板１１から離間した下部位置に多数の冷却用突起を備える冷却ベース１３を配置する。そして、冷却ベース１３と放熱用プレート３との間にプリント基板１１を貫通させて第２の熱伝導部材１７を配置する。【選択図】図２
0003152381.tif 000002
【実用新案登録請求の範囲】
【請求項１】
熱伝導性素材から構成された平板状の放熱用プレートの上面に所定方向に傾斜した平らな底面を有する複数の凹部を形成し、同凹部内の底面に対してＬＥＤ素子の底面を直接あるいは第１の熱伝導部材を介して密着させて配置する一方、前記放熱用プレートから離間した下部位置に薄板状のプリント基板を配置し、同プリント基板に前記ＬＥＤ素子から延出される電極端子を接続するとともに、前記プリント基板から離間した下部位置に多数の冷却用突起を備える冷却ベースを配置し、同冷却ベースと前記放熱用プレートとの間に前記プリント基板を貫通させて第２の熱伝導部材を配置したことを特徴とする照明装置。
【考案の詳細な説明】
【技術分野】
【０００１】
本考案は、例えば車両の衝突試験の際に撮影用の光源として車両に搭載して好適な照明装置に関するものである。
【背景技術】
【０００２】
車両の衝突試験におけるデータ入手方法の１つとして従来から車両に小型カメラを搭載し、衝突によって車両に生ずる衝撃の状況を記録するためスチール写真を撮影するようにしている。このような衝突試験に関する技術は多々存するが一例として特許文献１を挙げる。
スチール写真の撮影においてはカメラのシャッタースピードが高速となるため、光源として高輝度のランプを光源とした照明装置を用いることが多い。また、スチール写真以外の映像として記録する場合にも十分な照度が得られない場合には高輝度の照明装置を使用して撮影することが多い。
【先行技術文献】
【特許文献】
【０００３】
【特許文献１】特開２００１−１４７１７３号公報
【考案の概要】
【考案が解決しようとする課題】
【０００４】
上記のような照明装置の光源として電球やＨＩＤランプを使用する場合、耐衝撃性に劣ることからＬＥＤ素子を使用した照明装置が求められている。
そのため、出願人は実用新案登録第３１４１７６６号の考案でＬＥＤ素子を使用し冷却効率のよい照明装置を提案した。本出願は先の照明装置を改良したもので、ＬＥＤが照明する方向をより正確にかつ安定させ、かつ自在にＬＥＤ光の方向や複数のＬＥＤ光の重なり具合（配光状態）を変更させることのできる照明装置を提供するものである。
【課題を解決するための手段】
【０００５】
上記の目的を達成するための第１の手段として、熱伝導性素材から構成された平板状の放熱用プレートの上面に所定方向に傾斜した平らな底面を有する複数の凹部を形成し、同凹部内の底面に対してＬＥＤ素子の底面を直接あるいは第１の熱伝導部材を介して密着させて配置する一方、前記放熱用プレートから離間した下部位置に薄板状のプリント基板を配置し、同プリント基板に前記ＬＥＤ素子から延出される電極端子を接続するとともに、前記プリント基板から離間した下部位置に多数の冷却用突起を備える冷却ベースを配置し、同冷却ベースと前記放熱用プレートとの間に前記プリント基板を貫通させて第２の熱伝導部材を配置したことをその要旨とする。
【考案の効果】
【０００６】
上記請求項の考案では、ＬＥＤ素子が発生させる熱が熱伝導部材を伝わって冷却ベースから放熱されることとなるとともに、ＬＥＤ素子の配光状態を自在に変更できるとともに同じ配光設計の照明装置であればその配光特性に個体差がなく照明する方向がより正確にかつ安定することとなる。
【図面の簡単な説明】
【０００７】
【図１】本考案の実施例の照明装置の斜視図。
【図２】同じ照明装置の分解側面図。
【図３】同じ照明装置の要部の縦断面図。
【図４】図１におけるＡ−Ａ方向からの断面図（ＬＥＤ素子は断面としていない）。
【図５】放熱用プレートの凹部の底面の傾斜状態を説明する説明図。
【図６】図５の放熱用プレートに配設したＬＥＤ素子の照明の配光特性を説明する説明図。
【考案を実施するための形態】
【０００８】
以下、本考案の照明装置を具体化した実施例を図面に基づいて説明する。以下の説明において、説明の便宜上図２における図の下方側を下側、上方側を上側とする。
図１〜図４に示すように、照明装置１は筐体２と筐体２の上部に左右位置に配置される左右の上蓋２ａ，２ｂを備えており、筐体２の内部に放熱用プレート３を備えている。放熱用プレート３は上面及び裏面が平行な平面で構成されたアルミ合金製の平板である。図５に示すように、放熱用プレート３の上面側には縦３横４の計１２の凹部５が形成されている。各凹部５の底面５ａは放熱用プレート３は上面及び裏面に対してそれぞれ図上矢印方向（本実施例では上下４列は長手（横）方向に対して４５°の方向、中央１列は０°の方向）に下がるような傾斜の平面とされている。本実施例ではこれら凹部５のうち、外側６つは平面方向に対して８°の角度（深い角度）で、内側６つは平面方向に対して４°の角度（浅い角度）で構成されている。尚、底面５ａの傾斜方向や傾斜角度は適宜用途に応じて変更して設計可能である。
各凹部５内にはＬＥＤケース６に収納されたＬＥＤ素子７が配設されている。図３（ａ）及び（ｂ）に示すように、ＬＥＤ素子７の底面と凹部５の底面５ａの間には第１の熱伝導部材としてのアルミ合金製の放熱用スペーサ８が介在させられネジ９によって放熱用プレート３の裏面側から固定されている。この結果、ＬＥＤ素子７の熱が放熱用スペーサ８を介して放熱用プレート３に伝達される。ＬＥＤ素子７の電極１０は凹部５の底面５ａから裏面にかけて形成された小透孔１６から下垂されている。
【０００９】
筐体２の内部であって放熱用プレート３から離間した下部位置にはプリント基板１１が配設されている。プリント基板１１はコンポジット銅張積層板を材料とする可撓性のある長方形形状の薄板形状の部材である。プリント基板１１は所定のプリント配線やチップ等が実装されている（図示省略）。プリント基板１１はＬＥＤ素子７から下垂された電極１０によって支持されている。プリント基板１１には長手方向に沿って２列計６つの透孔１２が形成されている。
筐体２の内部であってプリント基板１１から離間した下部位置には冷却ベースとしてのヒートシンク１３が配設されている。本実施例のヒートシンク１３は長方形形状のベースプレート１４と９枚の冷却用突起としてのフィン１５とから構成されたアルミ合金製の一体成型品である。各フィン１５は互いに平行となるようにベースプレート１４から下垂して配置されている。筐体２内側面であってヒートシンク１３の一方の端部に面した位置には図示しない小型の冷却ファン装置が配設されている。
【００１０】
放熱用プレート３とヒートシンク１３との間には第２の熱伝導部材としてのアルミ合金製の６本のヒートパイプ１７が配設されている。その結果、放熱用プレート３の熱がヒートパイプ１７を介してヒートシンク１３に伝達される。ヒートパイプ１７はプリント基板１１に形成された６つの透孔１１を貫通して放熱用プレート３とヒートシンク１３とを連結しており、上端が放熱用プレート３の裏面に当接し、下端寄りがヒートシンク１３内に埋没されている。ヒートパイプ１７はボルト２０によって放熱用プレート３を介してヒートシンク１３に対して固着されている。
尚、ヒートパイプ１７の外周部分には潤滑及び放熱を図るため若干の粘着性のある充填剤としての放熱用コンパウンドが塗布されている。
筐体２の下部位置には蓄電池２３が収納されている。筐体２の側面には入力スイッチ２４が配設されている。このように構成された照明装置１は、図示しないステーを介してＣＣＤカメラのような撮影装置とともに車内の撮影したい場所に取り付けるようにする。
上記のような構成では、各ＬＥＤ素子７を上記図５のような凹部５の底面５ａの傾斜の放熱用プレート３にＬＥＤ素子７がセットされることからＬＥＤ素子７を発光させた際の照明光は図６のように拡散することとなる。この実施例では中央寄りでは比較的集光し周囲は散光するような配光特性であるが、底面５ａの傾斜方向や傾斜角度によって様々な配光特性を与えることができる。
【００１１】
上記のように構成することで本実施例の照明装置１では次のような効果を奏する。
（１）ＬＥＤ素子７の底面に放熱用スペーサ８が常時当接し、放熱用プレート３に伝達された熱はヒートパイプ１７を介してヒートシンク１３から放熱が図られるため、ＬＥＤ素子７の発光に伴う熱が抑制され従来に較べてより高輝度のＬＥＤ素子７を使用することが可能となる。
（２）使用目的に応じた凹部５の底面５ａの傾斜とその方向を設計することで様々な配光特性を作り出すことができ、照明装置１の用途が拡がる。
（３）ＬＥＤ素子７を拡散させるためこのように底面５ａを座ぐった凹部５を使用することによって、個体差がなく照明方向の正確で安定した配光特性の照明装置１を提供することができる。
【００１２】
尚、この考案は、次のように変更して具体化することも可能である。
・上記実施例は一例である。例えばＬＥＤ素子７の数が配列は自由に変更できる。また、筐体２の構成も上記に限定されるものではない。
・ヒートパイプ１７やヒートシンク１３の構成は上記に限定されるものではない。放熱用スペーサ８やヒートパイプ１７やヒートシンク１３の上記以外の材質、例えば銅を含む合金を使用することも可能である。
・放熱用スペーサ８を別体で用意したが、放熱用の突起を凹部５の底面５ａに形成するようにしてもよい。要はＬＥＤ素子７の熱が放熱用プレート３に伝達されればよい。
・照明装置１１はＣＣＤカメラによるスチール写真の撮影以外に、映像として撮影する場合に使用することも可能である。
・基板１４の材質は上記に限定されるものではない。
・その他、本考案の趣旨を逸脱しない態様で実施することは自由である。
【符号の説明】
【００１３】
１…照明装置、３…放熱用プレート、５…凹部、５ａ…底面、７…ＬＥＤ素子、８…第１の熱伝導部材としての放熱用スペーサ、１１…プリント基板、１７…第２の熱伝導部材としてのヒートパイプ、１４…基板。
【図１】
0003152381.tif 000003
【図２】
0003152381.tif 000004
【図３】
0003152381.tif 000005
【図４】
0003152381.tif 000006
【図５】
0003152381.tif 000007
【図６】
0003152381.tif 000008